(57)【特許請求の範囲】
【請求項１】
毛髪切断用の刃部を先端に有するヘアカッター本体に、該刃部にて切断した毛髪を吸引する毛髪吸引路を備え、上記毛髪吸引路を、ヘアカッター本体のハウジングの片面側に着脱自在に装着される吸引ケースで形成するともに、該ハウジングの反対側のもう片面側には、吸引ケースの着脱とは独立して吸引方向にスライド自在となるように刈り高さ調整用のアタッチメントを装着するヘアカッターにおいて、該アタッチメントは、ヘアカッター本体の長手方向にスライド自在に装着される半割筒状の基台上から櫛部を突設したものであり、該櫛部の両側端部が、該アタッチメントのスライド量に関わらず常に側面視にて刃部が隠れる位置にまで延設されて毛髪飛散防止壁を形成し、上記吸引ケースを、吸引口を先端に有する上流ブロックとこれよりも下流側の下流ブロックとで形成し、アタッチメントのスライドとは独立して、ヘアカッター本体のハウジングに固定される下流ブロックに対して上流ブロックを吸引方向に沿ってスライド自在に設け、上記下流ブロックの内面と上記ヘアカッター本体のハウジング外面とで毛髪を貯める毛髪吸引部を形成することを特徴とするヘアカッター。
【発明の詳細な説明】
【技術分野】
【０００１】
本発明は、切断した毛髪を吸引する機能を有するヘアカッターに関するものである。
【背景技術】
【０００２】
従来から、刈り高さ調整用のアタッチメントを備えたヘアカッターが知られている（例えば特許文献１参照）。しかし、上記アタッチメントはヘアカッター本体の先端側から嵌め込まれる筒型の形状を有しており、したがって、切断した毛髪を吸引口から引き込む毛髪吸引路をヘアカッター本体に備えようとする場合、この毛髪吸引路を形成する吸引ケースを取り外して貯まった毛髪を廃棄するには一旦アタッチメントを取り外す必要が生じ、使用者にとっては使い勝手が悪くなるといった問題があった。
【特許文献１】特許公開２００１−２３２０７６号公報
【発明の開示】
【発明が解決しようとする課題】
【０００３】
本発明は上記問題点に鑑みて発明したものであって、毛髪吸引部を形成する吸引ケースの着脱と独立して着脱及びスライド自在なアタッチメントを備えたヘアカッターを提供することを課題とするものである。
【課題を解決するための手段】
【０００４】
上記課題を解決するために本発明を、毛髪切断用の刃部２を先端に有するヘアカッター本体に、該刃部２にて切断した毛髪を吸引する毛髪吸引路６を備え、上記毛髪吸引路６を、ヘアカッター本体のハウジング１の片面１ａ側に着脱自在に装着される吸引ケース１４で形成するともに、該ハウジング１の反対側のもう片面１ｂ側には、吸引ケース１４の着脱とは独立して吸引方向にスライド自在となるように刈り高さ調整用のアタッチメント４１を装着するヘアカッターにおいて、該アタッチメント４１は、ヘアカッター本体の長手方向にスライド自在に装着される半割筒状の基台４２上から櫛部４３を突設したものであり、該櫛部４３の両側端部が、該アタッチメント４１のスライド量に関わらず常に側面視にて刃部２が隠れる位置にまで延設されて毛髪飛散防止壁を形成していること特徴としたものとする。
【０００５】
このようにすることで、毛髪吸引路６内に切断された毛髪が貯まれば吸引ケース１４を自由に取り外してこれを廃棄することができ、また刈り高さを変更しようとすればアタッチメント４１を自由にスライドさせることができる。即ち、吸引ケース１４の着脱とアタッチメント４１の装着及びスライドは互いに独立して行えるので、例えばアタッチメント４１を装着したままでも問題なく吸引ケース１４を取り外して毛髪を廃棄することが可能である。そして、ハウジング１の片面１ｂ側に装着させたアタッチメント４１であっても、毛髪飛散防止壁によって、散髪時に毛髪が飛散することを効果的に防止することができる。
【０００７】
また上記構成のヘアカッターにあっては、上記吸引ケース１４を、吸引口１３を先端に有する上流ブロック１９とこれよりも下流側の下流ブロック２０とで形成し、アタッチメント４１のスライドとは独立して、ヘアカッター本体のハウジング１に固定される下流ブロック２０に対して上流ブロック１９を吸引方向に沿ってスライド自在に設け、上記下流ブロック２０の内面と上記ヘアカッター本体のハウジング１外面とで毛髪を貯める毛髪吸引部Ｂを形成することを特徴とする。例えば耳の周りを散髪する際には吸引ケース１４の吸引口１３周辺が被散髪者の頭部に接触して邪魔になることがあるが、上記の如く上流ブロック１９がスライド自在であれば上流ブロック１９を後退させて被散髪者に不快感を与えないようにすることが可能である。
【発明の効果】
【０００８】
本発明は、毛髪吸引部を形成する吸引ケースの着脱と独立して着脱及びスライド自在なアタッチメントを備えたヘアカッターを提供するという効果を奏する。
【発明を実施するための最良の形態】
【０００９】
以下、本発明を添付図面に示す実施形態に基いて説明する。本発明の実施形態における一例のヘアカッターは図１〜図３に示す如く、片手で把持可能な細長形状を成すヘアカッター本体の外殻を成すハウジング１の長手方向一端側（以下、これを「先端側」という）に、刃部２を先端から突出させてある毛髪切断部Ａを配し、長手方向の他端側（以下、これを「基端側」という）には吸引ファン３を有する吸引力発生部Ｃを配し、各部Ａ，Ｃ毎に各専用の駆動源となるモータ４，５を内蔵させている。両部Ａ，Ｃは長手方向に所定長さの（各部Ａ，Ｃの長さと同程度の）距離を隔ててハウジング１内に形成されており、毛髪切断部Ａの背方から両部Ａ，Ｃ間にかけての一連の部分には、毛髪切断部Ａの刃部２先端側の外気を毛髪切断部Ａの背方及び両部Ａ，Ｃ間の隙間部分を通って吸引力発生部Ｃ内にまで吸引させる毛髪吸引部Ｂを形成している。
【００１０】
なお上記の長手方向は、即ち毛髪吸引部Ｂ及び吸引力発生部Ｃでの吸引方向であり、したがって本文中での先端側は上流側、基端側は下流側と換言可能である。また上記の背方とは、毛髪を切断される被散髪者側から見た方向を基準とするものである。
【００１１】
以下、各部Ａ〜Ｃの詳しい構造について説明する。まず毛髪切断部Ａは、刃部２を有する刃ブロック９を先端に装着するものであり、駆動源となるモータ４と、該モータ４の出力軸４ａに圧入される駆動カム７と、該駆動カム７の中心軸よりも外れた位置に取り付けられる駆動軸８とを内蔵するとともに、この駆動軸８と、刃ブロック９に備えてある案内板１０とを連結させ、駆動軸８の偏心回転運動を案内板１０を介して往復運動に変換させて刃部２に伝達することで、固定刃１１と可動刃１２とから成る刃部２の可動刃１２側を固定刃１１に対してヘアカッター本体の短手方向に往復摺動させる構造である。ハウジング１の側面には操作ボタン３０（図２、図３等参照）を長手方向にスライド自在に露出させており、この操作ボタン３０をスライド操作することでモータ４への電力供給が制御自在となっている。
【００１２】
次に、毛髪吸引部Ｂについて説明する。この毛髪吸引部Ｂは、毛髪切断部Ａの刃部２の背方近傍に吸引口１３を開口させた筒体を成すものであり、その筒体内に形成される毛髪吸引路６の基端側が吸引力発生部Ｃに連通する構造になっている。
【００１３】
上記筒体を成す毛髪吸引部Ｂは、ハウジング１外面の片面１ａ側である凹溝状の背面部分と、該ハウジング１外面に着脱自在に装着される半割円筒状を成す吸引ケース１４の内面１４ａとで毛髪吸引路６を形成する構造である。ハウジング１の背面部分の短手方向両側端にはフック状の係止片１５を背方に向けて一対突設してあり（図４参照）、吸引ケース１４の基端側にはフック状の係止片１６を基端側に向けて突設してある（図５、図６参照）。そして、ハウジング１の両端の係止片１５を吸引ケース１４の両側端部に係合させることで吸引ケース１４をハウジング１に対して長手方向にスライド自在に係止させるとともに、吸引ケース１４の基端縁をハウジング１外面の段差部１７に当ててこの位置で該吸引ケース１４の係止片１６をハウジング１の背面部分に凹設してある被係止部１８に係合させることで（図１参照）、吸引ケース１４のハウジング１に対するスライドを固定し、これにより吸引ケース１４をハウジング１外面に固定して毛髪吸引部Ｂを形成するようになっている。
【００１４】
上記吸引ケース１４は、吸引口１３を先端に有して吸引ケース１４の上流側部分を成す半割筒状の上流ブロック１９と、吸引ケース１４の上流ブロック１９よりも下流側部分を成す半割筒状の下流ブロック２０とが重なった状態で連結されることで形成されている。下流ブロック２０は吸引ケース１４のうち上記の如くハウジング１に固定される部分であり、上流ブロック１９はこの下流ブロック２０に重なりながら長手方向にスライド自在に連結され、そのスライド量に応じて吸引ケース１４全体の先端側への突出量を変更する部分である。
【００１５】
図５（ｂ）や図６には、上流ブロック１９と下流ブロック２０との連結構造を示している。下流ブロック２０には、その先端側に段差部１７を介して一段低い摺接面２１を形成しており、上流ブロック１９がこの摺接面２１上に被さって段差部１７と当る状態で、上流ブロック１９外面と下流ブロック２０外面とが面一となるように形成している。上流ブロック１９内面には長手方向に伸びる断面フック状のスライド係止片２２を一対だけ平行に突設してあり、上記摺接面２１にはこのスライド係止片２２と長手方向にスライド自在に係合する断面フック状のスライド被係止片２３を二対だけ夫々平行に突設してある。
【００１６】
そして上記スライド係止片２２とスライド被係止片２３とのスライド自在な係合により、上流ブロック１９は図２に示すように先端の吸引口１３が刃部２先端と同程度まで先端側に突出した突出位置と、図３に示すように先端の吸引口１３が刃部２先端よりも大きく基端側に後退した後退位置との間で切換自在となっている。図６（ａ）中の符号２４は下流ブロック２０の摺動面２１上に固定される弾性変形自在なクリック部材であり、また図６（ｂ）中の符号２５は上流ブロック１９の内面から長手方向に所定間隔を隔てて突設される一対の凸状を成すクリック係合部であり、このクリック部材２４が弾性変形しながらクリック係合部２５を乗り越える際にクリック感を付与するとともに、この乗り越え時の負荷が上流ブロック１９を突出位置又は後退位置に保持させる手段となっている。
【００１７】
次に、吸引力発生部Ｃについて図１や図７〜図９に基づいて説明する。吸引力発生部Ｃは、吸引ファン３をファンカバー２６内に有するファン部２７と、ファン部２７から送り込まれる空気を減速させて静圧回復させるために流路断面を下流側に向けて徐々に拡大させて形成してあるディフューザ部２８と、ファン部２７内の吸引ファン３を回転駆動させるモータ５とを、この順に下流側に向けて連なるように一体に連結させて成るファンブロック２９を、ハウジング１内面に固定することで形成している。ハウジング１内のファンブロック２９が配される空所５０と毛髪吸引部Ｂ内の毛髪吸引路６との連通部分にはフィルタ４０を介在させるとともに、ハウジング１の基端部には上記空所５０と連通する吐出口３１を開口させており、ハウジング１の先端側外部から吸引口１３を介して毛髪吸引部Ｂ内に引き込まれた空気がフィルタ４０を介して空所５０内のファン部２７及びディフューザ部２８内を通過した後に、モータ５とハウジング１内面との間の隙間を通過して吐出口３１から基端側外部に放出される構造である。
【００１８】
上記ファンブロック２９は、ディフューザ部２８の外殻を成す筒体部分３２の外周縁部３２ａを、ハウジング１内面の凹溝に嵌め込み固定することでハウジング１内の空所５０に支持させる構造であり、ファンブロック２９中で最大径となる部分をハウジング１で押えることによって吸引ファン３の回転に伴うファンブロック２９の振動発生を防止する構造である。また振動発生を更に確実に防止させるために、ディフューザ部２８の上記外周縁部３２ａとハウジング１内面の上記凹溝との間に介在するように、ディフューザ部２８の外周面に緩衝材（図示せず）を貼着させることも好適である。
【００１９】
上記ファン部２７の外殻を成すファンカバー２６は、中央に開口を有する底壁２６ａの周縁から側周壁２６ｂを立設して成る部材であり、側周壁２６ｂの先端縁部をディフューザ部２８の筒体部分３２に固定することで、ファンカバー２６とディフューザ部２８との間に吸引ファン３が配される空間を形成している。上記吸引ファン３は、ハブ３３上に放射状に複数枚の羽根３４を配列して形成される遠心ファンである。
【００２０】
上記ディフューザ部２８は図８（ｂ）に示すように、放射線状に配される複数枚の羽根３６により筒体３５内の外周側部分を複数の流路３７に区分するとともに、該筒体３５内の中央部分にはモータ５の出力軸５ａを挿通させるための貫通穴３８を形成して成る羽根付きディフューザである。上記流路３７は、筒体３５の軸方向に沿って徐々に断面積が大きくなるように形成してある。また上記モータ５は、その出力軸５ａを貫通穴３８内に挿通させた状態でディフューザ部２８に固定され、ファン部２７内にて出力軸５ａと吸引ファン３とを連結させることで回転力を伝達するものである。
【００２１】
なお、上記ファンブロック２９において、羽根付きディフューザであるディフューザ部２８の羽根数ｍと、吸引ファン３の羽根数ｎとは、両者が互いに相違する自然数であり、且つ互いに素であるように設けることが好適であり、本例ではｍ＝７、ｎ＝９としている。吸引ファン３回転時の風切音は、吸引ファン３の羽根３４が近傍の構造物（即ちディフューザ部２８の羽根３６）に最接近する際に大きくなるので、このように羽根数ｍ，ｎを設定することで各羽根３４の風切音が同時に発生することを防止し、ファンブロック２９全体の静音化を図ることが可能である。
【００２２】
そして、上記構成から成るファンブロック２９をハウジング１内の空所５０に組み込むことにより、吸引ファン３の回転で毛髪吸引部Ｂ内から引き込んだ空気を空所５０内のファンブロック２９を通じて基端側へと送り出して吐出口３１から排気する排気流路３９が形成される。上記排気流路３９は、ファン部２７内において吸引ファン３にて遠心方向に送り出された空気がファンカバー２６に当って軸方向の基端側に向けられ、この空気がディフューザ部２８内において各流路３７内を軸方向の基端側に向けて流れるように形成されており、この排気流路３９を通じて基端側へと送り出される空気をモータ５の外表面に当てて該モータ５を冷却するとともに、吐出口３１からの排気をハウジング１の基端部から先端の刃部２と離れる方向に送り出して使用者に排気が当る煩わしさを感じさせない構造になっている。
【００２３】
上記構成を具備するヘアカッターには、更に図９〜図１１に示すような刈り高さ調整用のアタッチメント４１が着脱自在に装着される。このアタッチメント４１は、ヘアカッター本体のハウジング１外面に長手方向にスライド自在に装着される半割筒状の基台４２上から櫛部４３を突設したものであって、上記基台４２は、ハウジング１外面のうち吸引ケース１４が装着される側の片面１ａ（即ち背面部分）とは反対側の片面１ｂ（即ち正面部分）に装着される構造である。したがって、片面１ａ側での吸引ケース１４の着脱及び突出量変更操作と、もう片面１ｂ側でのアタッチメント４１の着脱及びスライド操作とは、互いに干渉せず独立して行われる。
【００２４】
上記アタッチメント４１は、ハウジング１の片面１ａ側ともう片面１ｂ側との間の両側部に長手方向に伸びるように形成される一対の凹溝４４（図２、図３参照）内に、半割筒状を成す基台４２の両側端部がスライド自在に嵌入することで、ハウジング１外面にスライド自在に保持されるものである。そして、ハウジング１の片面１ｂであってアタッチメント４１に覆われる部分には、突没自在であり且つ背方のコイルばね（図示せず）により突出方向に付勢された係止ボタン４５（図１参照）が設けてあって、この係止ボタン４５が、アタッチメント４１の内面に長手方向に所定距離を隔てて複数凹設してある係止穴（図示せず）のいずれかに嵌入することで、複数段階に設定してあるうちの任意のスライド量で保持される構造である。
【００２５】
なお、アタッチメント４１の櫛部４３の両側端部は、該アタッチメント４１のスライド量に関わらず常に刃部２の往復動方向の両側端をカバーする形状である。即ち上記両側端部は、側面視にて刃部２が隠れる位置にまで延設されて刃部２の両側端をカバーすることで、刃部２にて切断された毛髪の飛散を防止する毛髪飛散防止壁の役割を果たすようになっている。
【００２６】
しかして、上記アタッチメント４１を装着した状態のヘアカッターを用いて毛髪を切断するには、まず操作ボタン３０をオフとした状態でアタッチメント４１を適宜スライドさせ、所望のスライド位置にてアタッチメント４１をハウジング１に保持させる。そしてハウジング１基端部に凹設してあるプラグ挿入穴４７にＡＣアダプタのプラグ（図示せず）を挿入するとともに操作ボタン３０をオンとすれば、毛髪切断部Ａのモータ４と吸引力発生部Ｃのモータ５に電力が供給されて毛髪切断部Ａにあっては刃部２の可動刃１２が固定刃１１に対して往復摺動されるとともに、吸引力発生部Ｃにあっては吸引ファン３が回転駆動されて毛髪吸引部Ｂ内の空気を吸引力発生部Ｃ内に吸引して吐出口３１から吐出する風力を発生させる。
【００２７】
ここで、アタッチメント４１の櫛部４３背面側を被散髪者の頭部に当てながらヘアカッター本体を移動させていくと、刃部２により毛髪が順次切断されていくとともに、切断された毛髪は刃部２と近接した位置で開口する吸引口１３から外気と共に毛髪吸引部Ｂの毛髪吸引路６内に吸引され、吸入された外気はフィルタ４０を通じて吸引力発生部Ｃ内に吸引されるとともに、吸引された毛髪は毛髪吸引路６内に順次貯め置かれていく。吸引力発生部Ｃ内に吸入された空気は既述の如くファン部２７及びディフューザ部２８内を通過した後にモータ５とハウジング１との間を通過し、基端部の吐出口３１から外部に吐出される。
【００２８】
ここで、本例にあっては毛髪吸引部Ｂでの吸引力発生手段として、吸引力発生部Ｃ内に遠心ファンである吸引ファン３を備えてあるので、小型であっても強い吸引力が得られるとともに、更にこの吸引ファン３から下流側に送り出される空気をディフューザ部２８にて徐々に静圧回復させてロスなく高効率で送り出すことが可能になっている。したがって本例のヘアカッターはモータ５を大型化させることなく高い吸引力を発揮させることが可能であり、小型であっても切断した毛髪を強力に吸引することが可能なヘアカッターとなっている。
【００２９】
刈り高さを変更する場合にはアタッチメント４１を長手方向にスライドさせればよく、また吸引口１３の突出量を変更する場合には吸引ケース１４の上流ブロック１９を長手方向にスライドさせればよい。アタッチメント４１と吸引ケース１４とは、ハウジング１の毛髪切断部Ａが配される先端側外面の片面１ａ側ともう片面１ｂ側に夫々独立した状態で支持させる構造なので、両者４１，１４の着脱操作やスライド操作は互いに影響を受けないようになっている。
【００３０】
ここで、上記アタッチメント４１の代わりに図１２に示すような別形態のアタッチメント４１′を用いても構わない。このアタッチメント４１′はハウジング１の先端部にスライド不能に係止される構造であり、櫛部４３′の高さが相違する複数種類のアタッチメント４１′を用意して適宜交換することで、刈り高さが調整可能となっている。
【００３１】
散髪終了後は、操作ボタン３０をオフにして刃部２の往復駆動及び吸引ファン３の回転駆動を停止させ、吸引ケース１４をハウジング１から取り外して毛髪吸引部Ｂ内に貯まった毛髪を廃棄すればよい。ここで、本例にあっては吸引ケース１４の取り外しにより、毛髪吸引部Ｂ内の吸引口１３から吸引ファン３近傍（フィルタ４０直前）に至るまでの全部分を開放させて、毛髪吸引路６内に貯まった毛髪を効率良く且つ確実に廃棄することが可能である。
【００３２】
なお、例えば耳の周りを散髪する際にはアタッチメント４１を装着せずに用いるが、このときには吸引ケース１４の吸引口１３周辺が被散髪者の頭部に接触して邪魔になるので、上流ブロック１９を後退させておく。このように使用部位にあわせて吸引口１３の突出量を変更可能であるから、使用者にとっては使い勝手がよいものである。
【図面の簡単な説明】
【００３３】
【図１】本発明の実施形態における一例のヘアカッターの全体を示しており、（ａ）は背面図、（ｂ）は（ａ）のＸ−Ｘ線断面図である。
【図２】同上のヘアカッターの斜視図である。
【図３】同上のヘアカッターの吐出口を後退させた状態の斜視図である。
【図４】同上のヘアカッターの吸引ケースを取り外した状態の斜視図である。
【図５】同上の吸引ケースを示しており、（ａ）は背面図、（ｂ）は連結部分の断面図である。
【図６】同上の吸引ケースの各パーツを示しており、（ａ）は下流ブロックの背面図、（ｂ）は上流ブロックの正面図である。
【図７】同上のヘアカッターに内蔵されるファンブロックの斜視図である。
【図８】同上のファンブロックの各パーツを示しており、（ａ）はファンカバーを取り外した状態の斜視図、（ｂ）はディフューザ部の斜視図である。
【図９】同上のヘアカッターにアタッチメントを装着した状態を示しており、（ａ）は背面図、（ｂ）は側面図、（ｃ）は刈り高さを変更した場合の側面図である。
【図１０】同上のヘアカッターの斜視図である。
【図１１】同上のヘアカッターの刈り高さを変更した場合の斜視図である。
【図１２】同上のヘアカッターに別形態のアタッチメントを装着した状態を示す斜視図である。
【符号の説明】
【００３４】
１  ハウジング
１ａ  片面
１ｂ  片面
２  刃部
６  毛髪吸引路
１３  吸引口
１４  吸引ケース
１９  上流ブロック
２０  下流ブロック
４１  アタッチメント
【図１】
0004613785.tif 000002
【図２】
0004613785.tif 000003
【図３】
0004613785.tif 000004
【図４】
0004613785.tif 000005
【図５】
0004613785.tif 000006
【図６】
0004613785.tif 000007
【図７】
0004613785.tif 000008
【図８】
0004613785.tif 000009
【図９】
0004613785.tif 000010
【図１０】
0004613785.tif 000011
【図１１】
0004613785.tif 000012
【図１２】
0004613785.tif 000013